(57)【要約】【課題】  エレベータのつり合いおもりにおける吸振ないしは制振の安定化と、騒音発生の低減を図る。【解決手段】  １つの枠体１内に、第１及び第２のおもり２，３を収納し、第１のおもり２は、下方に配置の弾性体４１，４２を介して支持される。  積層体からなる第１のおもり２は、ボルト２１ａを上下に貫通させて固定されるが、中空円柱状のすべり部材８をボルト２１ａと脱落防止部材９との間に介在させることで、第１のおもり２が円滑に上下動するように構成されている。  また、第１及び第２のおもり２，３は、ともに１つの枠体１内に収納されたので、第１と第２のおもり２，３との分離脱落は回避され、安全で騒音の少ないエレベータのつり合いおもり装置を提供できる。【選択図】      図１
2006168927.tif 000002
【特許請求の範囲】
【請求項１】
上下方向に配置された第１及び第２のおもりは１つの枠体内に収納され、前記第１のおもりは、下方に配置された弾性体を介して前記枠体に支持されるとともに前記枠体に固定された脱落防止部材に係止されて水平方向への揺動が制限されるように構成されたエレベータのつり合いおもり装置であって、
前記第１のおもりと前記脱落防止部材との間にすべり部材を介在させたことを特徴とするエレベータのつり合いおもり装置。
【請求項２】
シーブが装着された１つの枠体内に第１及び第２のおもりが収納され、前記シーブは、上方に配置された弾性体を介して前記枠体に連結されるとともに下方に前記第１のおもりを固定し、前記第１のおもりは前記枠体に固定された脱落防止部材に係止されて水平方向への揺動が制限されるように構成されたエレベータのつり合いおもり装置であって、
前記第１のおもりと前記脱落防止部材との間にすべり部材を介在させたことを特徴とするエレベータのつり合いおもり装置。
【請求項３】
前記第１のおもりは重量部材の積層体で構成され、前記すべり部材は前記積層体を連結固定する固定具と前記脱落防止部材との間に装着されたことを特徴とする請求項１または請求項２に記載のエレベータのつり合いおもり装置。
【発明の詳細な説明】
【技術分野】
【０００１】
本発明は、エレベータのつり合いおもり装置の改良に関する。
【背景技術】
【０００２】
駆動綱車に巻き掛けられた主ロープを介してかごが昇降移動するロープ式エレベータでは、かごの揺れや振動が乗客の乗り心地を低下させる。
【０００３】
かごの揺れや振動を低減させるために種々の工夫がなされ、例えば、かごに防振装置を備えて、かご室の自体の振動軽減を図ることも行われている。
【０００４】
ロープ式エレベータでは、かごは主ロープを介してつり合いおもりに連結されていて、つり合いおもりの振れや振動も主ロープを介してかごに伝達されるので、つり合いおもりの揺れや振動の軽減も、かご内乗客の乗り心地の改善向上には欠かすことができず、つり合いおもりの揺れや振動の低減策も種々提案されている。
【０００５】
つり合いおもり装置側の揺れや振動の発生には種々の要因が考えられる。
【０００６】
かご自体の重量変化、すなわち負荷変動そのものが、主ロープを介してつり合いおもり装置側に伝達され、つり合いおもり装置に揺れや振動をもたらす場合もあるが、エレベータの走行中の駆動綱車における回転振れや主ロープ自体の振れ、また主ロープの長手方向のわずかな伸縮動作もつり合いおもり装置の揺れや振動の要因となる。
【０００７】
また、１：１ローピングのロープ式エレベータでは、かごとつり合いおもり装置との間に、コンペンセーティングロープ（つり合ロープ）が連結されていて、そのコンペンセーティングロープの揺れ等がつり合いおもり装置を揺らしたり振動させたりするのも少なくない。
【０００８】
いずれにしても、つり合いおもり装置側の揺れや振動もまた、主ロープを介してかごを振動させることになるので、つり合いおもり側の揺れや振動の軽減が要求される。
【０００９】
つり合いおもり装置自体の揺れや振動を低減させるのに、図１１に示した構成のつり合いおもり装置が提案されている。
【００１０】
従来のつり合いおもり装置では、つり合いおもりの枠体１を、第１のおもり２を収納した第１の枠体１Ａと、第２のおもり３を収納した第２の枠体１Ｂとに分離し、第１の枠体１Ａと第２の枠体１Ｂとを、ばね等からなる弾性体４１，４２とダンパ５との並列配置で連結し、弾性体４１，４２とダンパ５とで動吸振器を形成して、振動を抑制するように構成されている（例えば、特許文献１参照）。
【００１１】
なお、図１１において、第１の枠体１Ａは、シャックルロッド６ａを介して主ロープ６に接続され、下方の第２の枠体１Ｂにはコンペンセーティングロープ７が連結されている。
【特許文献１】特開平６−１００２７３号公報
【発明の開示】
【発明が解決しようとする課題】
【００１２】
上記従来のつり合いおもり装置は、装置自体が、第１のおもり２を収納した第１の枠体１Ａと第２のおもり３を収納した第２の枠体１Ｂとに分離されて構成され、その分離された第１のおもり２と第２のおもり３との間をばね等の弾性体４１，４２及びダンパ５で連結する複雑な構成となっている。
【００１３】
また、動吸振器を構成した弾性体４１，４２とダンパ５は、一般に、圧縮方向に対しては優れた耐久性を有するものの、伸張方向への継続負荷に対して耐久性が劣るのは避けられない。
【００１４】
従って、従来のつり合いおもり装置のように、下方に第２のおもり３とコンペンセーティングロープ７を吊り下げていて、弾性体４１，４２及びダンパ５に対し、常に伸張方向に荷重が加わる構造では、経年変化等で動吸振器としての機能が低下したり、あるいは何らかの機械的な衝撃により弾性体４１，４２及びダンパ５が破損して、第２の枠体１Ｂが第１の枠体１Ａから離脱してしまう恐れがあった。
【００１５】
そこで、本発明は、弾性体等の破損による第１の枠体と第２の枠体との離脱を回避するとともに、弾性体を介して支持されるおもりに対し、水平方向への揺動を制限しつつ円滑な上下動を行わしめることによって、安全で騒音の少ないエレベータのつり合いおもり装置を提供することを目的とする。
【課題を解決するための手段】
【００１６】
請求項１に係る発明は、上下方向に配置された第１及び第２のおもりは１つの枠体内に収納され、前記第１のおもりは、下方に配置された弾性体を介して前記枠体に支持されるとともに前記枠体に固定された脱落防止部材に係止されて水平方向への揺動が制限されるように構成されたエレベータのつり合いおもり装置であって、前記第１のおもりと前記脱落防止部材との間にすべり部材を介在させたことを特徴とする。
【００１７】
請求項２に係る発明は、シーブが装着された１つの枠体内に第１及び第２のおもりが収納され、前記シーブは、上方に配置された弾性体を介して前記枠体に連結されるとともに下方に前記第１のおもりを固定し、前記第１のおもりは前記枠体に固定された脱落防止部材に係止されて水平方向への揺動が制限されるように構成されたエレベータのつり合いおもり装置であって、前記第１のおもりと前記脱落防止部材との間にすべり部材を介在させたことを特徴とする。
【発明の効果】
【００１８】
上記のように、請求項１及び請求項２に係る発明によれば、第１及び第２のおもりのいずれもが１つの枠体内に収納されるように構成されたので、第１のおもりと第２のおもりのいずれか一方が分離脱落する恐れは回避されるとともに、弾性体を介した支持により上下動する第１のおもりは、すべり部材を介して、枠体に固定された脱落防止部材に係止されるので、水平方向への揺動制限を受けつつ円滑な上下動が可能となり、不用意な揺れや振動を発生することなく安全で騒音の少ないのエレベータのつり合いおもり装置を提供できる。
【発明を実施するための最良の形態】
【００１９】
以下、本発明のエレベータのつり合いおもり装置の一実施例を図１ないし図１０を参照して詳細に説明する。なお、図１１に示した従来のエレベータのつり合いおもり装置と同一構成には同一符号を付して詳細な説明は省略する。
【００２０】
図１は、本発明によるエレベータのつり合いおもり装置を１：１ローピングのロープ式エレベータに採用した第１の実施例に係る一部切り欠け正面図で、図２は図１のＡ−Ａ線矢視断面図、図３は図２の要部拡大図である。
【００２１】
第１の実施例のエレベータのつり合いおもり装置は、１つの枠体１と、この枠体１内に収納され、上下方向に配置された第１及び第２のおもり２，３と、この第１及び第２のおもり２，３間に配置された弾性体４１，４２及びダンパ５とで構成されている。
【００２２】
上下方向に配置された第１及び第２のおもり２，３は、いずれも金属板等の板状に形成された重量部材の積層体からなり、弾性体４１，４１はコイルばねやゴム等の弾性部材で構成されている。
【００２３】
並列配置により動吸振器を構成した弾性体４１，４２とダンパ５は、第２のおもり３上に配置されて上方の第１のおもり２を支持しており、第２のおもり３は枠体１の下枠に支持固定されている。従って、弾性体４１，４２とダンパ５は、第２のおもり３上にあって、第１のおもり２の荷重を支えつつ、常に圧縮方向に押圧力を受けている。
【００２４】
この第１の実施例において、金属板の積層体からなる第１のおもり２は、第１のおもり２自体の振動で崩れることがないように、２箇所で固定具２１により固定されている。
【００２５】
この実施例の固定具２１は、図１に示したように、ボルト２１ａとそのボルト２１ａにねじ込んで締め付け固定するナット２１ｂとからなる。
【００２６】
ボルト２１ａは、第１のおもり２に形成された上下方向の貫通孔に下方から挿入されるとともに、上方の合成樹脂部材からなる摩擦係数の小さな中空円柱状のすべり部材８をも連通させ、ナット２１ｂにより、第１のおもり２をすべり部材８とともに締め付け固定するように構成されている。
【００２７】
また、図２及び図３にも示したように、第１のおもり２とともに固定具２１に固定された中空円柱状のすべり部材８は、枠体１に取り付け固定されたＬ字状の脱落防止部材９を貫通して遊挿されるように構成されている。
【００２８】
図３に拡大して示したように、脱落防止部材９は、手前側（図示下方）で、左右に対向する枠体１の縁部を、スペーサ９１を介して、ボルト９２ａ及びナット９２ｂで挟み込んで取り付け固定される。
【００２９】
このように、脱落防止部材９は、枠体１に固定されつつ、遊挿させたすべり部材８を介して第１のおもり２の水平方向への揺動を制限するように構成されている。
【００３０】
従って、第１のおもり２の荷重を支えた弾性体４１，４２及びダンパ５が振動等により伸縮し、上下方向へ揺れ動いたときには、上下動する第１のおもり２は摩擦係数の小さなすべり部材８を介して脱落防止部材９に接しているので、第１のおもり２は円滑に上下動（スライド）可能である。
【００３１】
また、弾性体４１，４２及びダンパ５の振動等によって、第１のおもり２自体が水平方向（前後左右）に大きく揺動しようとしても、脱落防止部材９はすべり部材８を貫通孔内に遊挿させて係止しているので、第１のおもり２の水平方向への揺れが制限されることから、不要な二次的振動が新たに発生するのも抑制される。
【００３２】
また、この第１の実施例では、脱落防止部材９はＬ字状の一枚板で形成され、スペーサ９１、ボルト９２ａ及びナット９２ｂにより、枠体１の手前側側板で左右対向する側壁縁を挟み込んで取り付けるように構成したので、脱落防止部材９の、第１のおもり２の高さ位置に応じた枠体１に対する位置決め並びに取り付け固定を容易に行うことができる。
【００３３】
また、ナット２１ｂは、すべり部材８を貫通させたボルト２１ａを締め付け固定しているので、もしも摩耗や損傷等によりすべり部材８の交換が必要になったときには、ナット２１ｂの取り外し操作のみで交換が可能であり、保守・点検等を効率良く行うことができる。
【００３４】
なお、この実施例のエレベータのつり合いおもり装置でも、図１に示したように、枠体１は、シャックルロッド６ａを介して主ロープ６により上方から吊り下げられるとともに、下端部側は連結されたコンペンセーティングロープ７の自重に引っ張られている。
【００３５】
ロープ式エレベータでは、つり合いおもり装置側における振動の振動周波数や振幅は、駆動綱車とつり合いおもり装置との間の主ロープ６の長さと、つり合いおもり装置自体の重量（質量）とによってほぼ決定づけられるが、この第１の実施例のつり合いおもり装置では、装置自体が振動したとき、弾性体４１，４２及びダンパ５からなる動吸振器は、第１のおもり２の上下方向の揺動すなわち振動を打ち消すように作用する。
【００３６】
また、おもり全体に対する第１のおもり２の重量比や、弾性体４１，４１及びダンパ５におけるばね定数や弾性係数は、つり合いおもり装置自体の振動モードの中で、エネルギーの最も大きな振動周波数をより広い周波数帯域をカバーして効果的に吸収あるいは抑制可能な値に選択することができる。
【００３７】
また、第１のおもり２を金属板等の積層体で構成したことで、より効果的な吸振ないしは制振作用が得られるように、おもり全体の荷重に対する第１のおもり２の割合を容易かつ適切に選定することができる。
【００３８】
上記説明のように、第１の実施例に係るつり合いおもり装置によれば、並設された弾性体４１，４２及びダンパを介して、第１及び第２のおもり２，３を１つの枠体１内に収納し、弾性体４１，４２及びダンパは、常に圧縮荷重を受けるように構成したので、簡単な構成で高い安全度と良好な耐久性が得られる。
【００３９】
加えて、第１のおもり２は、すべり部材８を介して脱落防止部材９に遊挿係止させたので、弾性体４１，４２及びダンパが伸縮し、それに基づき第１のおもり２が上下動したとしても、第１のおもり２の上下動は安定かつスムーズなものとなるから、騒音や不要な二次的振動の発生は抑制されるとともに、つり合いおもり側からかご側へ波及する振動も軽減される。
【００４０】
上記第１の実施例において、脱落防止部材９はＬ字状の一枚板で形成し、枠体１の手前側側板縁間に差し渡して取り付けるように構成したが、要するに、脱落防止部材９は、第１のおもり２の水平方向への揺動を制限できれば、枠体１の手前側側板間以外の位置に取り付けても良い。
【００４１】
図４及び図５は、本発明によるエレベータのつり合いおもり装置の第２の実施例を示したもので、脱落防止部材９を枠体１の左右中央で対向する側壁に取り付けたことを特徴とする。
【００４２】
すなわち、図４は、本発明によるエレベータのつり合いおもり装置の第２の実施例に係る一部切り欠け正面図で、図５は図４のＡ−Ａ矢視断面図である。なお、図１ないし図３に示した第１の実施例とは、脱落防止部材９の形状及び取り付け位置等が相違するのみで、他の構成は同様であるので主な相違点のみを説明する。
【００４３】
第２の実施例において、脱落防止部材９は、一対のＬ形ブラケット９Ａ，９Ｂが枠体１の左右対向側壁面に、それぞれボルト９２ａ及びナット９２ｂにより固定されるように構成されている。
【００４４】
一対のＬ形ブラケット９Ａ，９Ｂの貫通孔には、中空円柱状のすべり部材８が遊挿貫通され、そのすべり部材８は、第１の実施例と同様に、固定具２１により、第１のおもり２とともに締め付け固定されるように構成されている。
【００４５】
従って、上記構成により、第１のおもり２の水平方向の揺動は制限されるとともに、第１のおもり２の上下動に際し、たとえすべり部材８と脱落防止部材９とが接触したとしても、すべり部材８と脱落防止部材９との間の小さな摩擦係数により、第１のおもり２の上下動は円滑に行われ騒音発生は抑制される。
【００４６】
なお、図４及び図５に示した構成によれば、脱落防止部材９をつり合いおもりの左右側面で固定するため、つり合いおもりの前後面でのボルトによる突出をなくすことができ、エレベータ機器のレイアウト構成上、つり合いおもりと他用品を近接させることができるため、有利である。
【００４７】
また、図４及び図５に示した構成では、脱落防止部材９は、一対のＬ形ブラケット９Ａ，９Ｂに分離した構造となっているが、Ｌ形ブラケット９Ａ，９Ｂを中央部で連結して一体化し、左右に長い１個のＵ字状のブラケットとなるように構成しても良い。
【００４８】
次ぎに、上記第１及び第２の実施例に係るエレベータのつり合いおもり装置では、すべり部材８は、固定具２１によって第１のおもり２側に固定されたが、すべり部材８は、要するに、弾性体４１，４２及びダンパの伸縮に応じて上下動する第１のおもり２と、この第１のおもり２を係止して水平方向の揺動を制限する脱落防止部材９との間のすべりが円滑に行われれば良いので、すべり部材８を脱落防止部材９に取り付け固定しても良い。
【００４９】
図６は本発明の第３の実施例に係るエレベータのつり合いおもり装置の一部切り欠け正面図で、図６に示した第３の実施例では、脱落防止部材９に中空円柱状のすべり部材８を取り付け固定したことを特徴とする。
【００５０】
なお、図１ないし図３に示した上記第１の実施例とは、主にすべり部材８の取り付け位置構造が相違するのみで、他の構成は同様であるので相違点のみを特に説明する。
【００５１】
すなわち、図６に示したように、積層体からなる第１のおもり２は、下方から挿入されて貫通したボルト２１ａへのナット２１ｂのねじ込み締め付けで固定され、ナット２１ｂから上方に突き出たボルト２１ａの部位に、脱落防止部材９に固着された中空円柱状のすべり部材８が遊挿されるように構成されている。
【００５２】
上記構成により、第１のおもり２の上下動等により、第１のおもり２側のボルト２１ａとすべり部材８とが接触したとしても、ボルト２１ａとすべり部材８との間の小さな摩擦係数により、第１のおもり２の上下動は円滑に行われ、騒音発生等は抑制される。
【００５３】
上記第３の実施例では、すべり部材８を第１の実施例に示した構成の脱落防止部材９に取り付け固定したが、すべり部材８を第２の実施例に示した構成の脱落防止部材９に取り付け構成することもできる。
【００５４】
図７は、すべり部材８を第２の実施例に示した構成の脱落防止部材９に取り付け構成した第４の実施例に係る本発明のエレベータのつり合いおもり装置を示した一部切り欠け正面図である。
【００５５】
すなわち、図７に示したように、中空円柱状のすべり部材８を、脱落防止部材９を構成した一対のＬ形ブラケット９Ａ，９Ｂ側に取り付け固定したことを特徴とする。
【００５６】
図７に示した第４の実施例は、一対のＬ形ブラケット９Ａ，９Ｂで脱落防止部材９を構成した点で、図４及び図５に示した上記第２の実施例と共通し、すべり部材８を脱落防止部材９側に取り付け固定した点において、図６に示した第３の実施例と共通する。
【００５７】
従って、第１のおもり２は、下方から挿入されて貫通したボルト２１ａをナット２１ｂのねじ込みにより固定され、図示のようにナット２１ｂから上方に突き出たボルト２１ａの部位に、脱落防止部材９に固着された中空円柱状のすべり部材８が遊挿されて構成され、上記構成により、第１のおもり２が上下動し、ボルト２１ａとすべり部材８とが接触したとしても、ボルト２１ａとすべり部材８との間の小さな摩擦係数により、第１のおもり２は円滑に上下動可能であり騒音発生を抑制できる。
【００５８】
上記第１ないし第４の実施例では、積層体からなる第１のおもり２を固定具２１のボルト２１ａが貫通して固定したが、固定具２１を第１のおもり２を貫通することなく第１のおもり２を固定するように構成し、その固定具２１がすべり部材８を介して脱落防止部材９に係止されるように構成することもできる。
【００５９】
図８は、固定具２１が第１のおもり２を貫通することなく積層体からなる第１のおもり２を固定し、脱落防止部材９がすべり部材８を介して固定具２１を係止するように構成された本発明に係るエレベータのつり合いおもり装置の第５の実施例の一部切り欠き正面図である。
【００６０】
すなわち、図８に示したように、固定具２１は、左右一対のコ字状の掛け金具２１１とこの掛け金具２１１の上端部に貫通させた各一対の押さえねじ棒２１２と、これら押さえねじ棒２１２を掛け金具２１１の上端部で挟み固定するナット２１ｃ，２１ｃとからなり、積層体状の第１のおもり２を図示のように左右で固定するように構成されている。
【００６１】
図８に示した構成では、上方のナット２１ｃからさらに上方に突き出した押さえねじ棒２１２の部分に、左右の一対のＬ形ブラケット９Ａ，９Ｂからなる脱落防止部材９に側取り付け固定した中空円柱状のすべり部材８を遊挿させるように構成されている。
【００６２】
この第５の実施例においても、第１のおもり２が上下動し、押さえねじ棒２１２とすべり部材８とが接触したとしても、押さえねじ棒２１２とすべり部材８との間の小さな摩擦係数により、第１のおもり２は円滑に上下動可能であり騒音発生を抑制できる。
【００６３】
上記第１ないし第５の各実施例では、第１のおもり２を載せた弾性体４１，４２及びダンパ５を、第２のおもり３上に配置して枠体１に支持させたが、弾性体４１，４２及びダンパ５上の第１のおもり２は、第２のおもり３とともに枠体１に支持されていれば良いので、第２のおもり３を第１のおもり２の上方に配置して、第１のおもり２を、枠体１内に直に載置した弾性体４１，４２及びダンパ５上に載せても良い。
【００６４】
図９は、枠体１の下枠に載置した弾性体４１，４２及びダンパ５上に、第１のおもり２を載せて構成した本発明によるエレベータのつり合いおもり装置の第６の実施例を示した一部切り欠き正面図である。
【００６５】
図９に示した第６の実施例は、図１ないし図３に示した第１の実施例とは、第１のおもり２と第２のおもり３とを上下反対に配置し、第２のおもり３は取付具３ａ，３ａを介して枠体１内の上方に取り付け支持され、第１のおもり２は、枠体１の下枠に載置された弾性体４１，４２及びダンパ５に支持されるように構成されている。
【００６６】
従って、図１ないし図３に示した構成と同一構成には同一符号を付して、詳細な説明を省略するが、第１のおもり２の荷重を支えた弾性体４１，４２及びダンパ５が振動等により伸縮し、第１のおもり２自体が上下左右に揺れ動こうとした場合でも、前後左右方向への揺れは脱落防止部材９によって制限されるとともに、上下方向への揺れ移動では、上下動する第１のおもり２がすべり部材８を介して脱落防止部材９に接しているので、すべり部材８と脱落防止部材９との間の小さな摩擦係数により、第１のおもり２は円滑に上下動し騒音を発生は抑制される。
【００６７】
なお、図９は、図１に示した実施例の構成と対比して、第１のおもり２と第２のおもり３とを上下反対に配置したものである旨説明したが、この第１のおもり２と第２のおもり３との上下反対配置は、図４ないし図８に示した第２ないし第６の各実施例についても同様に適用できる。
【００６８】
次ぎに、上記第１ないし第６の各実施例は、１：１ローピングで構成されたロープ式エレベータのつり合いおもり装置を説明したが、２：１ローピングのロープ式エレベータに関しても本発明装置のつり合いおもり装置を採用することができる。
【００６９】
図１０は、２：１ローピングのエレベータに適用した本発明によるつり合いおもり装置の第７の実施例を示したもので、主ロープ６が巻きかけられるシーブ１０が枠体１内に配置されて構成され、シーブ１０の回転軸を支持したプレート１０ａの左右下端部には、分割された第１のおもり２Ａ，２Ｂが、植え込みボルト２Ａａ，２Ｂａ及びナット２Ａｂ，２Ｂｂによってねじ込み固定されている。
【００７０】
そして、ナット２Ａｂ，２Ｂｂからさらに下方に突き出た植え込みボルト２Ａａ，２Ｂａの部位に、図７及び図８と同様に、中空円柱状のすべり部材８を遊挿させたＬ形ブラケット（脱落防止部材）９Ａ，９Ｂが上下反対向きに枠体１に取り付け固定されている。
【００７１】
図１０に示した構成においても、Ｌ形ブラケット９Ａ，９Ｂに固定されたすべり部材８が植え込みボルト２Ａａ，２Ｂａを遊挿しているので、第１のおもり２Ａ，２Ｂは、円滑かつ安定した上下動が可能であり、騒音発生等を回避できる。
【００７２】
なお、図１０に示した第７の実施例では、プレート１０ａの上面と枠体１の上枠との間には、第１及び第２の弾性体４１，４２とダンパ５１，５２とで一対の動吸振器を形成して、第１のおもり２Ａ，２Ｂにそれぞれ対応するように取り付けられている。
【００７３】
このように、第７の実施例においても、第１及び第２のおもり２（２Ａ，２Ｂ），３は、いずれも１つの枠体１内に収納配置され、第１のおもり２（２Ａ，２Ｂ）は、第１及び第２の弾性体４１，４２及び第１及び第２のダンパ５１，５２を常に押圧するように構成されているので、上記第１ないし第６の実施例と同様に、安定した吸振作用ないしは制振作用を得ることができる。
【００７４】
なお、上記説明の各実施例では、弾性体４１，４２とダンパ５（５１，５２）とで動吸振器を形成するように構成したが、吸振作用の周波数範囲がやや狭まるのは避けられないものの、ダンパ５（５１，５２）を省略し、弾性体４１，４２のみで構成しても良い。
【００７５】
以上説明のように、上記各実施例によれば、第１のおもり２（２Ａ，２Ｂ）はすべり部材８を介して脱落防止部材９と接触するので、第１のおもり２（２Ａ，２Ｂ）は、水平方向への横振れの制限を受けつつ円滑に上下動を行うことができ、騒音の少ない安定したエレベータのつり合いおもり装置を提供することができる。
【図面の簡単な説明】
【００７６】
【図１】本発明によるエレベータのつり合いおもり装置の第１の実施例を示した一部切り欠き正面図である。
【図２】図１に示したつり合いおもり装置のＡ−Ａ矢視断面図である。
【図３】図２に示したつり合いおもり装置の要部拡大図である。
【図４】本発明によるエレベータのつり合いおもり装置の第２の実施例を示した一部切り欠き正面図である。
【図５】図４に示したつり合いおもり装置のＡ−Ａ矢視断面図である。
【図６】本発明によるエレベータのつり合いおもり装置の第３の実施例を示した一部切り欠き正面図である。
【図７】本発明によるエレベータのつり合いおもり装置の第４の実施例を示した一部切り欠き正面図である。
【図８】本発明によるエレベータのつり合いおもり装置の第５の実施例を示した一部切り欠き正面図である。
【図９】本発明によるエレベータのつり合いおもり装置の第６の実施例を示した一部切り欠き正面図である。
【図１０】本発明によるエレベータのつり合いおもり装置の第７の実施例を示した一部切り欠き正面図である。
【図１１】従来のエレベータのつり合いおもり装置を示した構成図である。
【符号の説明】
【００７７】
１，１Ａ，１Ｂ  枠体
２，２Ａ，２Ｂ  第１のおもり
２Ａａ，２Ｂａ  植え込みボルト
２ａｂ，２ｂａ  ナット
２１  固定具
２１ａ  ボルト
２１ｂ，２１ｃ  ナット
２１１  掛け金具
２１２  押さえねじ棒
３  第２のおもり
３ａ  取付具
４１，４２  弾性体
５，５１，５２  ダンパ
６  主ロープ
６ａ  シャックルロッド
７  コンペンセーティングロープ
８  すべり部材
９  脱落防止部材
９Ａ，９Ｂ  Ｌ形ブラケット（脱落防止部材）
９１  スペーサ
９２ａ  ボルト
９２ｂ  ナット
１０  シーブ
１０ａ  プレート
【図１】
2006168927.tif 000003
【図２】
2006168927.tif 000004
【図３】
2006168927.tif 000005
【図４】
2006168927.tif 000006
【図５】
2006168927.tif 000007
【図６】
2006168927.tif 000008
【図７】
2006168927.tif 000009
【図８】
2006168927.tif 000010
【図９】
2006168927.tif 000011
【図１０】
2006168927.tif 000012
【図１１】
2006168927.tif 000013